(57)【特許請求の範囲】
【請求項１】
発泡剤を収納する容器本体に、容器本体内部への水の流入を許容する開口を設け、該開口から流入した水と反応して発泡剤が発泡化した圧力によって容器本体内の泡および液状化した発泡剤を前記開口から噴出させて容器本体を前進させる構成とした発泡剤収納容器において、
前記開口は一部が塞がれて上下２つの噴射口に区分けされ、上部噴射口が水上に位置し、下部噴射口が水面下に位置する構成としたことを特徴とする発泡剤収納容器。
【請求項２】
容器本体の水に接する底面には取水孔が設けられている請求項１に記載の発泡剤収納容器。
【請求項３】
容器本体の開口は切断可能のシール部によって封止されている請求項１又は２に記載の発泡剤収納容器。
【請求項４】
複数の容器本体が連続成形され、後段の容器本体の頭部が前段の容器本体の後尾に接続され、前段の容器本体の後尾が開封される位置に切断部が設けられる請求項１乃至３のいずれかの項に記載の発泡剤収納容器。
【請求項５】
容器本体は一対のフィルムで構成されるパウチであり、フィルムにはパウチの膨らみを付ける張り出し加工がなされている請求項１乃至４のいずれかの項に記載の発泡剤収納容器。
【発明の詳細な説明】
【０００１】
【発明の属する技術分野】
本発明は、たとえば発泡入浴剤のような発泡剤を収容する発泡剤収納容器に関し、特に、発泡化した発泡剤を噴出して自走しながら発泡剤を自動散布するようにした推進容器に関する。
【０００２】
【従来の技術】
従来から、入浴剤として発泡タイプの入浴剤が知られているが、従来の発泡入浴剤は、袋から出して風呂の水に投入して使用するもので、容器ごと投入するようなものは無かった。
【０００３】
【発明が解決しようとする課題】
本発明は、容器ごと水中に入れて容器内で発泡剤を発泡させ、発泡圧力によって発泡剤を水中に噴射しながら移動して発泡剤を自動散布可能とする新規な発泡剤収納容器を提供するものである。
【０００４】
【課題を解決するための手段】
上記目的を達成するために、本発明は、発泡剤を収納する容器本体に、容器本体内部への水の流入を許容する開口を設け、該開口から流入した水と反応して発泡剤が発泡化した圧力によって容器本体内の泡および液状化した発泡剤を前記開口から噴出させて容器本体を前進させる構成とした発泡剤収納容器において、前記開口は一部が塞がれて上下２つの噴射口に区分けされ、上部噴射口が水上に位置し、下部噴射口が水面下に位置する構成としたことを特徴とする。
【０００５】
また、容器本体の水に接する底面には取水孔が設けられていることが好ましい。容器本体の開口は切断可能のシール部によって封止され、使用時に開封する。
【０００６】
複数の容器本体が連続成形され、後段の容器本体の頭部が前段の容器本体の後尾に接続され、前段の容器本体の後尾が開封される位置に切断部を設けることが好適である。
また、容器本体が一対のフィルムで構成されるパウチの場合、フィルムにはパウチの膨らみを付ける張り出し加工がなされていることが効果的である。
【０００７】
【発明の実施の形態】
以下に本発明を図示の実施の形態に基づいて説明する。
（実施の形態１）
図１は本発明の実施の形態１に係る発泡剤収納容器を示している。
すなわち、この発泡剤収納容器１は、発泡入浴剤２を収納する容器本体３が水に浮かぶ構成となっており、水に浮かべた容器本体３の一端に、一部が水面Ｌ下に没して容器本体３内部への水の流入を許容する開口４が設けられている。容器本体３は完全に水上に浮かぶ構成だけでなく、水中に没しても発泡剤の泡の浮力によって浮上する構成であってもよい。この開口４から流入した水と反応して発泡入浴剤２が発泡化した圧力により、容器本体３内の泡および液状化した発泡入浴剤２を開口４から噴出させ、その反動によって容器本体３を前進させるものである。
【０００８】
発泡剤としては、この実施の形態では発泡入浴剤２であり、浴槽に入れて使用する。タイプとしては、固形、粉末、フレーク状等、種々の形態の発泡剤が利用可能である。
容器本体３は上下一対のフィルム３１，３１を張り合わせた前後に延びるパウチ構成で、後尾の開口４を除いて前部および左右側縁がヒートシール部３２にてシールされている。上下のフィルム３１，３１は、張り出し成形によって立体的に膨らませておくことが好ましい。
【０００９】
後尾の開口４は一部が塞がれて上下２つの噴射口４１，４２に区分され、水に浮かべた際に、上部噴射口４１が水上に位置し、下部噴射口４２が水面下に位置する。
図示例の場合には、開口４の上縁および下縁に位置するフィルム３１，３１が上方および下方にＵ字形状に曲げられ、開口４の左右両端部がポイントシール部４３にて部分的にシールされ、このポイントシール部４３によって、数字の「８」の字形状に、上部噴射口４１と下部噴射口４２とに区分されている。
【００１０】
次に、上記発泡剤収納容器の使用方法について説明する。
浴槽に発泡剤収納容器１を投げ込むと、底面を下にして水面上に浮かび、後尾の下部噴射口４２が水面下に沈み、容器本体３内に水が進入し、内部に収納している発泡入浴剤２に湯水がしみこみ、容器本体３内で発泡が開始される。
発泡した入浴剤は体積膨張を起こし、図１（Ｂ）に示すように、上部噴射口４１から泡を噴き出しながら、下部噴射口４２からは湯水と混ざって液状化した入浴剤が勢いよく水中に噴射され、その反動によって容器本体３が頭部を前にして前進を開始する。発泡化した泡は容器本体３内に充満し上部噴射口４１は泡によって詰まり気味になり、容器本体３の内圧が上昇し、下部噴射口４２より入浴剤が勢いよく噴出される。
【００１１】
少し時間が経過すると、最初に流入した湯水による発泡現象は飽和して弱まり、容器本体の速度が低下する。
すると、再び、下部噴射口４２より湯水が流入し、残りの発泡入浴剤２と反応し、再び容器本体３が走り出す。
以上のサイクルを繰り返した後、容器本体３内の発泡入浴剤２は全て浴槽内に散布され、容器本体３は湯水のみとなり、動きは停止する。
動きは一定ではなく、発泡化の進み具合、容器本体３内の重量バランス、容器本体３に作用する浮力等が複雑に絡み合い、予測のつかない速度の変化や姿勢の変化が生じる。
なお、より効率的な発泡を促すために、図１（Ｇ）に示すように、容器本体３の底面３ａに、水の進入を許容する取水孔５を設けてもよい。取水孔５は小孔で複数設けることが好ましい。
【００１２】
図２は、複数の容器本体３を連続成形した成形例を示している。
すなわち、図２（Ａ）に示すように、帯状の上下一対のフィルム１００の左右両側辺をサイドシール部１０１によってシールし、円弧状の区分シール部１０２をフィルム１００の長手方向に所定間隔でもって形成し、帯状のフィルム１００に複数の容器本体３を連続成形したものである。
隣り合う容器本体は、後段の容器本体３の頭部が前段の容器本体３の後尾と区分シール部１０２を介して順次接続され、区分シール部１０２に隣接して脆弱なスコア１０３が設けられ、スコア１０３を切断すると前段の容器本体３の後尾が開封されて開口４が形成されると共に、区分シール部１０２が後段の容器本体３の頭部シール部となる。切断を容易にするために、スコア１０３の端部にはノッチ１０４が設けられている。
【００１３】
各容器本体３に入浴剤を収納しておいて、エンドユーザが使用時に分離するようにすれば、分離と同時に後尾の開口４を開封することができ、開封のためにパウチの切り取りカスが出ない構造となる。
ただし、図２（Ｂ），（Ｃ）に示すように、容器本体３を分離した後で、後尾の開口４の左右両端部を接合して固定する必要がある。固定方法としては、たとえば粘着テープを用いてもよいし、その他種々の構成をとることができる。
また、連続成形体としないで、一つ一つ分離した形態としてもよい。
その場合、後尾の開口４を使用前に封止しておく必要がある。
【００１４】
封止構造は、たとえば図２（Ｄ）に示すように、容器本体３の後尾の封止部６を、使用時に切断するように構成すればよい。切断は、はさみで切断してもよいし、手指で破断可能なようにスコア線等の弱め線を設けておいてもよい。
【００１５】
（実施の形態２）
図３及び図４は、本発明の実施の形態２を示している。
この実施の形態２は、図３に示すように、一対の帯状フィルム２００の左右両側辺をサイドシール部２０１によってシールし、フィルム２００を長手方向に所定間隔でもって区分する円弧状の区分シール部を、帯状フィルムのフィルム面に対して直角方向の第１区分シール部２０２と、この第１区分シール部２０２と直角方向（帯状フィルムの左右両端を押し潰す方向）にシールする第２区分シール部２０３によって構成し、帯状のフィルム２００に上記第１タイプと第２タイプの容器本体２３，３３を交互に連続成形したものである。
【００１６】
第１，第２区分シール部２０２，２０３に隣接して脆弱なスコア２０４，２０５が設けられ、スコア２０４，３０４を切断すると第１，第２タイプの容器本体２３，３３の後尾が開封されて開口２４，３４が形成されると共に、区分シール部２０２，３０２の中央部が一部残存して中央のポイントシール部２４３，３４３となる。
【００１７】
次に、このようにして得られる第１タイプの容器と第２タイプの容器について、図４を参照して説明する。
図４（Ａ）乃至（Ｄ）は第１タイプの発泡剤収納容器が示されている。
この第１タイプの容器２１も、発泡入浴剤２を入れた容器本体２３に開口２４が設けられ、この開口２４は容器本体２３を水に浮かべた際に少なくとも一部が水面下に没する位置に配置して容器本体２３内への水の流入を許容し、流入した水と発泡入浴剤２が反応して発生した気泡を開口２４から噴出させて推進するものである。
容器本体２３は上下一対のフィルム２３１，２３１を張り合わせたパウチ構成で、上下に重ね合わせ後尾の開口２４を除いて前部および左右側縁がヒートシール２３２によりシールされている。
【００１８】
この上下のフィルム２３１，２３１は、図４（Ｄ）に示すように、前端２３１ａの形状が中央が前方に突出する円弧形状で、後尾２３１ｂ形状が中央部が突出する三角形状で、その両傾斜辺２３１ｃが中心に向かって凹状となる円弧形状に成形されている。
そして、開口２４の上縁および下縁に位置するフィルム２３１，２３１が上方および下方にＵ字形状に曲げられ、開口２４の左右両端部がポイントシール部２４３にて部分的にシールされる。
【００１９】
第２タイプの容器３１も、発泡入浴剤２を入れた容器本体３３に開口３４が設けられ、この開口３４は容器本体３３を水に浮かべた際に少なくとも一部が水面下に没する位置に配置して容器本体３３内への水の流入を許容し、流入した水と発泡入浴剤２が反応して発生した気泡を開口３４から噴出させて推進するものである。
容器本体３３は左右一対のフィルム３３１，３３１を張り合わせたパウチ構成で、左右に重ね合わせ後尾の開口３４を除いて上下縁がヒートシール部３３２によってシールされ、さらに、前部開口部が上下に閉塞され前部シール３３３によってシールされている。
【００２０】
この左右のフィルム３３１，３３１は、図４（Ｉ）に示すように、前端３３１ａ形状が、第１タイプの容器本体２３のフィルム２３１の後尾２３１ｂの形状と合致するように、後方に向かって三角形状にくぼんだ凹形状で、その傾斜辺３３１ｘ，３３１Ｘが中心向かって凸の円弧形状となっている。一方、後尾３３１ｂの形状は第１タイプの容器本体２３のフィルム２３１の前端２３１ａのと合致するように、中央が引っ込む凹状の円弧形状となっている。
そして、後尾の開口３４の左右両端がポイントシール部３４３によって、上部噴射口３４１と下部噴射口３４２とに区分されている。
【００２２】
なお、上記各実施の形態では、容器本体をフィルム製のパウチによって構成する場合について説明したが、チューブによって構成してもよいし、インジェクションによる型成形品としてもよい。
また、上記実施の形態ではパウチ構成として封止しておき、開封して使用する構成として説明したが、たとえば、使用時にユーザが容器本体に入浴剤を詰める構成としてもよい。
【００２３】
【発明の効果】
以上説明したように、本請求項１に記載の発明によれば、発泡剤を入れた容器本体に開口を設け、開口から流入した水と反応して発泡化した圧力によって容器本体内の泡や液状化した発泡剤を開口から噴出させて推進するようにしたので、容器を水中に投げ込むだけで、発泡剤を水中に自動散布することができる。また、気泡の噴出によって推進する構成なので、予測できない速度変化や姿勢変化が生じ、動きを楽しむことができる。
特に、開口を上部噴射口と下部部噴射口に区分したことにより、下部噴射口から気泡と共に液状となった発泡剤が噴出され、推進力が大きくなる。
【００２４】
請求項２に記載の発明によれば、容器本体の水に接する底面に取水孔を設けているので、持続的に水を取り込むことができ、発泡化を促進することができる。
【００２５】
請求項３に記載の発明によれば、容器本体の開口は切断可能のシール部によって封止され、使用時に開封する構成とすれば、開封して投入するだけなので、作業が簡単である。  請求項４に記載の発明によれば、製品形態として、複数の容器本体が連続して接続された構成としたので、製造がきわめて簡単にできる。
請求項５に記載の発明によれば、フィルムにはパウチの膨らみを付ける張り出し加工をすることにより、水をスムースに流入させ、発泡化させることができる。
【図面の簡単な説明】
【図１】図１は本発明の実施の形態１に係る発泡剤収納容器に関するもので、同図（Ａ）は斜視図、同図（Ｂ）は移動時の斜視説明図、同図（Ｃ）は正面図、同図（Ｄ）は平面図、同図（Ｅ）は後尾側の側面図、同図（Ｆ）は頭部側の側面図、同図（Ｇ）は底面図である。
【図２】図２は発泡剤収納容器の成形工程を示すもので、同図（Ａ）は連続成形状態、同図（Ｂ）は容器本体を分離した状態、同図（Ｃ）は開口を部分シールする状態を示す説明図、同図（Ｄ）は封止部を設けた容器構成例を示す図である。
【図３】図３は本発明の実施の形態２に係る発泡剤収納容器の連続成形状態を示すもので、同図（Ａ）は平面図、同図（Ｂ）は正面図である。
【図４】図４（Ａ）は図３の第１タイプの容器本体の平面図、同図（Ｂ）は同図（Ａ）の正面図、同図（Ｃ）は後尾側の側面図、同図（Ｄ）はフィルム片の展開図、図４（Ｅ）は図３の第２タイプの容器本体の平面図、同図（Ｆ）は同図（Ｅ）の正面図、同図（Ｇ）は頭部側の側面図、同図（Ｈ）は後尾側の側面図、同図（Ｉ）はフィルム片の展開図である。
【符号の説明】
１ 発泡剤収納容器、２ 発泡入浴剤、
３，２３，３３ 容器本体、
３１，２３１，３３１ フィルム
４，２４，３４，４４ 開口、
４１，２４１，３４１ 上部噴射口、
４２，２４２，３４２ 下部噴射口、
４３，２４３，３４３ ポイントシール部
１００ 帯状フィルム
１０１ サイドシール部
１０２ 区分シール部
１０３ スコア
２００ 帯状フィルム
２０１ サイドシール部
２０２，２０３ 第１，第２区分シール部
２０４，２０５ スコア
【図１】
0004123794.tif 000002
【図２】
0004123794.tif 000003
【図３】
0004123794.tif 000004
【図４】
0004123794.tif 000005